(57)【要約】【課題】従来の技術による諸問題を解決するため、参照表装置を有する液晶表示器の駆動回路及び駆動方法を提供する。【解決手段】液晶表示器の駆動方法は、（ａ）スキャン電圧をスキャンラインに印加し、（ｂ）映像信号端からＭビットの映像データを受信し、（ｃ）Ｎビットの映像データを生じさせ、（ｄ）Ｎビットの映像データを１フレーム周期に遅延させ、（ｅ）現在のＭビット映像データにおけるＰビットの最上位ビットをＮビット映像データと比較し、（ｆ）比較結果値が第一数値であれば、Ｐビットの最上位ビット及びＮビット映像データによって、パラメーター表から第一映像データ値を選んで第一データライン電圧を生じさせて対応するデータラインに印加し、（ｇ）比較結果値が第二数値であれば、現在のＭビット映像データによって第二データライン電圧を生じさせて対応するデータラインに印加するなどのステップを含む。【選択図】図４
2005114955.tif 000002
【特許請求の範囲】
【請求項１】
液晶表示器を駆動する方法であって、該液晶表示器は、
液晶パネルを含み、該液晶パネルは、
複数のスキャンラインと、
複数のデータラインと、
それぞれ対応するスキャンラインと対応するデータラインとに接続され、対応するスキャンラインと対応するデータラインとに接続されるスイッチ素子を具える複数のピクセルとを含み、該方法は、
（ａ）スキャン電圧をスキャンラインに連続的に印加し、
（ｂ）映像信号端からＭビットの映像データを受信し、
（ｃ）Ｍビットの映像データからＮビットの最上位ビットを取り込んでＮビットの映像データを生じさせ、そのうちＮはＭを下回り、
（ｄ）Ｎビットの映像データを１フレーム周期遅延させて、遅延されたＮビット映像データを生じさせ、
（ｅ）現在のＭビット映像データにおけるＰビットの最上位ビットを遅延されたＮビット映像データと比較して比較結果値を決定し、
（ｆ）比較結果値が第一数値であれば、Ｐビットの最上位ビット及び遅延されたＮビット映像データによって、パラメーター表から第一映像データ値を選んで、第一映像データ値によって第一データライン電圧を生じさせて対応するデータラインに印加し、
（ｇ）比較結果値が第二数値であれば、現在のＭビット映像データによって第二データライン電圧を生じさせて対応するデータラインに印加するなどのステップを含むことを特徴とする液晶表示器の駆動方法。
【請求項２】
更に、
（ｈ）液晶パネルの温度によって温度補償信号を生じさせ、
（ｉ）温度補償信号によって複数のパラメーター表から前記ステップ（ｆ）におけるパラメーター表を選ぶなどのステップを含むことを特徴とする請求項１記載の液晶表示器の駆動方法。
【請求項３】
前記パラメーター表に（２Ｎ×２Ｐ）個の映像データ値が記録されることを特徴とする請求項１記載の液晶表示器の駆動方法。
【請求項４】
前記ＰがＮを上回ることを特徴とする請求項１記載の液晶表示器の駆動方法。
【請求項５】
前記ＰがＮに等しいことを特徴とする請求項１記載の液晶表示器の駆動方法。
【請求項６】
液晶表示器を駆動する方法であって、該液晶表示器は、
液晶パネルを含み、該液晶パネルは、
複数のスキャンラインと、
複数のデータラインと、
それぞれ対応するスキャンラインと対応するデータラインとに接続され、対応するスキャンラインと対応するデータラインとに接続されるスイッチ素子を具える複数のピクセルとを含み、該方法は、
（ａ）スキャン電圧をスキャンラインに連続的に印加し、
（ｂ）映像信号端からＭビットの映像データを受信し、
（ｃ）Ｍビットの映像データからＮビットの最上位ビットを取り込んでＮビットの映像データを生じさせ、そのうちＮはＭを下回り、
（ｄ）Ｎビットの映像データを１フレーム周期に遅延させ、遅延されたＮビット映像データを生じさせ、
（ｅ）現在のＭビット映像データにおけるＰビットの最上位ビットを遅延されたＮビット映像データと比較して比較結果値を決定し、
（ｆ）比較結果値が第一数値であれば、Ｐビットの最上位ビット及び遅延されたＮビット映像データによって、パラメーター表から第一映像データ値を選んで、第一映像データ値によって第一データライン電圧を生じさせて対応するデータラインに印加し、
（ｇ）比較結果値が第二数値であれば、Ｐビットの最上位ビット及び遅延されたＮビット映像データによってパラメーター表から第二映像データ値を選んで、また第二映像データ値における（Ｍ−Ｑ）ビットの最上位ビット及び現在のＭビット映像データにおけるＱビットの最下位ビットによって、第二データライン電圧を生じさせて対応するデータラインに印加するなどのステップを含むことを特徴とする液晶表示器の駆動方法。
【請求項７】
更に、
（ｈ）液晶パネルの温度によって温度補償信号を生じさせ、
（ｉ）温度補償信号によって複数のパラメーター表から請求項６記載のステップ（ｆ）におけるパラメーター表を選ぶなどのステップを含むことを特徴とする請求項６記載の液晶表示器の駆動方法。
【請求項８】
前記パラメーター表に（２Ｎ×２Ｐ）個の映像データ値が記録されることを特徴とする請求項６記載の液晶表示器の駆動方法。
【請求項９】
前記ＰがＮを上回ることを特徴とする請求項６記載の液晶表示器の駆動方法。
【請求項１０】
前記ＰがＮに等しいことを特徴とする請求項６記載の液晶表示器の駆動方法。
【請求項１１】
液晶表示器を駆動する駆動回路であって、該液晶表示器は、
液晶パネルを含み、該液晶パネルは、
複数のスキャンラインと、
複数のデータラインと、
それぞれ対応するスキャンラインと対応するデータラインとに接続され、対応するスキャンラインと対応するデータラインとに接続されるスイッチ素子を具える複数のピクセルとを含み、該駆動回路は、
スキャン電圧をスキャンラインに連続的に印加するスキャンライン駆動回路と、
Ｍビットの映像データを受信するための映像信号端と、
Ｍビットの映像データから、Ｍを下回るＮビットの最上位ビットを取り込んでＮビットの映像データを生じさせるビットプロセッサーと、
Ｎビットの映像データを保存して１フレーム周期に遅延させてから出力する映像メモリーと、
現在のＭビット映像データにおけるＰビットの最上位ビットを遅延されたＮビット映像データと比較して比較結果値を決定するための比較回路と、
Ｐビットの最上位ビット及び遅延されたＮビット映像データによって映像データ値を出力する参照表装置と、
比較結果値によって映像データ値またはＭビットの映像データを選択的に出力するマルチプレクサーと、
マルチプレクサーの出力によってデータライン電圧を生じさせて対応するデータラインに印加するデータライン駆動回路とを含むことを特徴とする駆動回路。
【請求項１２】
前記駆動回路は更に、
液晶パネルの温度を感知して温度補償信号を生じさせる温度センサーと、
複数のパラメーター表を保存するメモリーと、
温度補償信号によって、メモリーに保存される複数のパラメーター表から１個のパラメーター表を選んで参照表装置に送信することによって、参照表装置が選ばれたパラメーター表によって映像データ値を出力するようにさせるためのセレクターとを含むことを特徴とする請求項１１記載の駆動回路。
【請求項１３】
前記パラメーター表に（２Ｎ×２Ｐ）個の映像データ値が記録されることを特徴とする請求項１１記載の駆動回路。
【請求項１４】
前記ＰがＮを上回ることを特徴とする請求項１１記載の駆動回路。
【請求項１５】
前記ＰがＮに等しいことを特徴とする請求項１１記載の駆動回路。
【請求項１６】
液晶表示器を駆動する駆動回路であって、該液晶表示器は、
液晶パネルを含み、該液晶パネルは、
複数のスキャンラインと、
複数のデータラインと、
それぞれ対応するスキャンラインと対応するデータラインとに接続され、対応するスキャンラインと対応するデータラインとに接続されるスイッチ素子を具える複数のピクセルとを含み、該駆動回路は、
スキャン電圧をスキャンラインに連続的に印加するスキャンライン駆動回路と、
Ｍビットの映像データを受信するための映像信号端と、
Ｍビットの映像データから、Ｍを下回るＮビットの最上位ビットを取り込んでＮビットの映像データを生じさせるビットプロセッサーと、
Ｎビットの映像データを保存して１フレーム周期に遅延させてから出力する映像メモリーと、
現在のＭビット映像データにおけるＰビットの最上位ビットを遅延されたＮビット映像データと比較して比較結果値を決定するための比較回路と、
Ｐビットの最上位ビット及び遅延されたＮビット映像データによって映像データ値を出力する参照表装置と、
比較結果値によって映像データ値におけるＱビットの最下位ビットまたはＭビットの映像データにおけるＱビットの最下位ビットを選択的に出力するマルチプレクサーと、
マルチプレクサーの出力及び映像データ値における（Ｍ−Ｑ）ビットの最上位ビットによって、データライン電圧を生じさせて対応するデータラインに印加するデータライン駆動回路とを含むことを特徴とする駆動回路。
【請求項１７】
前記駆動回路は更に、
液晶パネルの温度を感知して温度補償信号を生じさせる温度センサーと、
複数のパラメーター表を保存するメモリーと、
温度補償信号によって、メモリーに保存される複数のパラメーター表から１個のパラメーター表を選んで参照表装置に送信することによって、参照表装置が選ばれたパラメーター表によって映像データ値を出力するようにさせるためのセレクターとを含むことを特徴とする請求項１６記載の駆動回路。
【請求項１８】
前記パラメーター表に（２Ｎ×２Ｐ）個の映像データ値が記録されることを特徴とする請求項１６記載の駆動回路。
【請求項１９】
前記ＰがＮを上回ることを特徴とする請求項１６記載の駆動回路。
【請求項２０】
前記ＰがＮに等しいことを特徴とする請求項１６記載の駆動回路。
【発明の詳細な説明】
【技術分野】
【０００１】
この発明は液晶表示器の駆動回路及び駆動方法に関し、特に参照表装置（look up table, LUT）を有する液晶表示器の駆動回路及び駆動方法に関する。
【背景技術】
【０００２】
液晶表示器はその軽量、低電力消費及び低輻射などの長所によって、ノートブック型コンピューター、パーソナルデジタルアシスタント（ＰＤＡ）などの携帯型電気製品に幅広く使用されている。一方、液晶モニター及び液晶テレビジョンも従来のブラウン管モニターとテレビジョンに取って代わりつつある。しかし、液晶表示器もその独自の欠点がある。例えば映像が変わるたび、液晶分子の配列方法を変更しなければならないので画面に遅延が起こる。この問題を改善するために液晶の反応速度の向上が要求される。
【０００３】
図１を参照する。図１は従来の液晶表示器におけるピクセル電圧と光線透過率Ｖ１のタイミング図である。そのうちピクセル電圧は実線で、光線透過率Ｖ１は破線で表示されている。液晶表示器のピクセルをデータ電圧Ｃ１からデータ電圧Ｃ２に切り替える場合、液晶分子の特性により充電時に遅延時間が生じるため、液晶分子は１フレーム周期内に予定角度に偏向できないので予定の光線透過率に達することができない。図１によれば、フレームＮは１フレーム周期の長さを表わし、フレームＮ＋１、Ｎ＋２…はフレームＮにつぐその次のフレーム周期を表わす。図１における光線透過率Ｖ１曲線が示したように、光線透過率Ｖ１はフレームＮの周期内に予定の透過率に達することができず、フレームＮ＋２の周期になって予定の透過率に達する。このような遅延は画面の遅滞をもたらす。
【０００４】
この問題を改善するため、オーバードライブ駆動法が液晶表示器に応用されている。図２を参照する。図２はオーバードライブ駆動法を利用する従来の液晶表示器におけるピクセル電圧と光線透過率Ｖ２のタイミング図である。液晶表示器のピクセルをデータ電圧Ｃ１からデータ電圧Ｃ２に切り替えるとき、オーバードライブデータ電圧Ｃ３を印加することによって液晶分子の反応を加速する。図２によれば、データ電圧Ｃ１がデータ電圧Ｃ２に切り替わる場合、データ電圧Ｃ２より高いオーバードライブデータ電圧Ｃ３を印加することによって液晶分子の反応を加速して、液晶分子が１フレーム周期内に予定角度に偏向して予定の光線透過率に達することができる。図２によれば、光線透過率Ｖ２はフレームＮの周期内に予定の透過率に達している。
【０００５】
従来のオーバードライブ駆動法、例えば、アメリカ合衆国特許公開US2002/0050965号では、映像データを保存する簡単なパラメーター表で液晶表示器をオーバードライブする。その簡単なパラメーター表は各グレイスケール値をその他のグレイスケール値に切り替えるに必要な一部のデータしか含まない。したがって、システム端からの映像データを受信する場合には、内挿などの演算を行ってパラメーター表における値を展開するプロセッサーが必要である。よって、従来のオーバードライブ駆動法は余分な演算が必要なので液晶表示器の性能低下をもたらしている。
【特許文献１】アメリカ合衆国特許公開US2002/0050965号
【発明の開示】
【発明が解決しようとする課題】
【０００６】
この発明は前述の問題を解決するため、参照表装置を有する液晶表示器の駆動回路及び駆動方法を提供することを課題とする。
【課題を解決するための手段】
【０００７】
この発明は液晶表示器を駆動する方法を提供する。該液晶表示器は液晶パネルを含む。該液晶パネルは、複数のスキャンラインと、複数のデータラインと、それぞれ対応するスキャンラインと対応するデータラインとに接続され、対応するスキャンラインと対応するデータラインとに接続されるスイッチ素子を具える複数のピクセルとを含む。該方法は、（ａ）スキャン電圧をスキャンラインに連続的に印加し、（ｂ）映像信号端からＭビットの映像データを受信し、（ｃ）Ｍビットの映像データからＮビットの最上位ビットを取り込んでＮビットの映像データを生じさせ、そのうちＮはＭを下回り、（ｄ）Ｎビットの映像データを１フレーム周期遅延させて、遅延されたＮビット映像データを生じさせ、（ｅ）現在のＭビット映像データにおけるＰビットの最上位ビットを遅延されたＮビット映像データと比較して比較結果値を決定し、（ｆ）比較結果値が第一数値であれば、Ｐビットの最上位ビット及び遅延されたＮビット映像データによって、パラメーター表から第一映像データ値を選んで、第一映像データ値によって第一データライン電圧を生じさせて対応するデータラインに印加し、（ｇ）比較結果値が第二数値であれば、現在のＭビット映像データによって第二データライン電圧を生じさせて対応するデータラインに印加するなどのステップを含む。
【発明の効果】
【０００８】
この発明によるパラメーター表は、１フレーム周期内に予定のデータ電圧に達するに必要なオーバードライブ電圧を測定して作成したもので、各グレイスケール値がその他のグレイスケール値に変換するためのオーバードライブ映像データを含む。ゆえに、この発明はオーバードライブ時、従来の技術のようにプロセッサーによってパラメーター表を展開せず、パラメーター表に照合するだけで必要なオーバードライブ映像データを得られる。なお、この発明による駆動回路及び駆動方法は映像メモリーのデータ長を配慮して最上位または最下位ビットを取り込むため、その映像メモリーには１６ビットのメモリーが適用される。
かかる装置及び方法の特徴を詳述するために、具体的な実施例を挙げ、図を参照して以下に説明する。
【発明を実施するための最良の形態】
【０００９】
この発明を詳述するために、液晶表示器の動作をまず説明しておく。図３を参照する。図３は液晶表示器の回路図である。図３によれば、液晶表示器３０は液晶パネル３１を含み、液晶パネル３１は複数のスキャンライン３２と、複数のデータライン３４と、複数のピクセル３６を含む。各ピクセル３６はそれぞれ対応するスキャンライン３２とデータライン３４に接続され、なおそれぞれスイッチ装置３８とピクセル電極３９を含む。そのうちスイッチ装置３８は対応するスキャンライン３２とデータライン３４に接続される。液晶表示器３０を駆動するため、スキャン電圧をスキャンライン３２に印加してスイッチ装置３８をオンにしてから、データライン３４を通してデータライン電圧を、スイッチ装置３８を経由してピクセル電極３９に書き込む。ゆえに、スキャン電圧をスキャンライン３２に印加してスイッチ装置３８をオンにしたときに、データライン３４におけるデータ電圧がスイッチ装置３８を通してピクセル電極３９を充電して液晶分子を偏向させる。スキャンラインにおけるスキャン電圧が消去されたらスイッチ装置３８はオフにされ、データライン３４とピクセル３６との電気的接続は切断され、ピクセル電極３９は充電状態を維持する。スキャンライン３２でスイッチ装置３８の開閉を制御することによって、ピクセル電極３９のデータライン３４による充電を制御する。ピクセル３６における液晶分子の偏向角度はスキャンライン３２におけるデータライン電圧によって相違し、種々の透過率を呈することによって、種々の画面を表示する。
【実施例１】
【００１０】
図４を参照する。図４はこの発明の実施例１による駆動回路４０を表わす説明図である。駆動回路４０は図３における液晶表示器３０を駆動し、映像信号端４１と、ビットプロセッサー４２と、映像メモリー４３と、比較回路４４と、参照表装置４５と、マルチプレクサー４６と、データライン駆動回路４７と、メモリー４８と、パラメーター表セレクター４９と、温度センサー５１とを含む。この実施例において、映像メモリー４３はデータ長が１６ビット（５、６、５または５、５、５）のメモリーであって、データアクセスを制御する関連回路を含んで映像メモリー４３の各メモリーセルの保存及び読み出しを制御する。映像信号端４１はそれぞれ８ビットの赤、緑、青（ＲＧＢ）三組の映像データをビットプロセッサー４２に送信する。各組の映像データはピクセル３０が赤、緑、青三色におけるそれぞれのグレイスケール値を制御し、各色のグレイスケール値は２５６（２の８乗）であるため、ピクセル３０の表示特性を決めるに２４（８×３）ビットの映像データが必要である。しかし、映像メモリー４３の容量を増加せずにデータ長が１６ビットの映像メモリー４３をこの発明に応用するために、この実施例はまずビットプロセッサー４２を利用してＲＧＢ三組の映像データの最上位ビットを取り込んで映像メモリー４３に送信して保存する。例えば赤色映像データＲの５ビットの最上位ビットと、緑色映像データＧの６ビットの最上位ビットと、青色映像データＢの５ビットの最上位ビットをそれぞれ取り込んで処理する。もっとも、取り込んだビットの総和が映像メモリー４３の１６ビットのデータ長を超えない限り、赤、緑、青三組の映像データＲ、Ｇ、Ｂからそれぞれ５ビットの最上位ビットを取り込んで処理するのも可能である。
【００１１】
以下はＲＧＢ三組の一組を例にして説明する。映像信号端４１は８ビットの映像データをビットプロセッサー４２に送信する。ビットプロセッサー４２は８ビットの映像データＤ８を処理して６ビットの第二取り込み映像データＤ６及び現在の８ビット映像データＤ８を出力する。そのうち、第二取り込み映像データＤ６はビットプロセッサー４２が現在の８ビット映像データＤ８から６ビットの最上位ビットを取り込んだもので、映像メモリー４３に保存されて１フレーム周期遅延してから出力される。遅延された第二取り込み映像データＤ６は第一取り込み映像データＤ６’と定められる。なお、注意すべき点は、第一取り込み映像データＤ６’と第二取り込み映像データＤ６は二つのフレームにそれぞれ属し、二つのフレームの８ビットのデータＤ８は１フレーム周期の差をおいて映像入力端４１から入力されることである。
【００１２】
ビットプロセッサー４２は第二取り込み映像データＤ６及び現在の８ビット映像データＤ８をそれぞれ比較回路４４とマルチプレクサー４６に送信し、映像メモリー４３から出力された第一取り込み映像データＤ６’は比較回路４４に送信されて第二取り込み映像データＤ６と比較される。比較回路４４が第一取り込み映像データＤ６’と第二取り込み映像データＤ６を比較した後、比較結果値を０または１に決める。比較結果値が０である場合、第一取り込み映像データＤ６’と第二取り込み映像データＤ６は同じであり、それに対し、比較結果値が１である場合、第一取り込み映像データＤ６’と第二取り込み映像データＤ６は相違する。第一取り込み映像データＤ６’と第二取り込み映像データＤ６は２個の８ビット映像データＤ８から６ビットの最上位ビットを取り込んだものなので、比較結果値が０であれば、両８ビット映像データＤ８の差は４を超えない。例えば、第一取り込み映像データＤ６’と第二取り込み映像データＤ６が２（即ち００００１０）である場合、比較回路４４から出力される比較結果値は０であると同時に、対応する両８ビット映像データＤ８の値は８〜１１（即ち００００１０００〜００００１０１１）にあって、その差は４を超えず、ピクセル３０をオーバードライブする必要はない。反対に、比較結果値が１であれば、両８ビット映像データＤ８の差は４を超え、ピクセル３０をオーバードライブしなければならない。例えば、第一取り込み映像データＤ６’が２（即ち００００１０）、第二取り込み映像データＤ６が５（即ち０００１０１）であれば、対応する両８ビット映像データＤ８の値はそれぞれ８〜１１（即ち００００１０００〜００００１０１１）と２０〜２３（即ち０００１０１００〜０００１０１１１）にあって、ピクセル３０をオーバードライブしなければならない。
【００１３】
参照表装置４５はパラメーター表を有して、パラメーター表によって動作する。図５を参照する。図５は図４における参照表装置４５のパラメーター表５０を表わす説明図である。パラメーター表５０には（２６×２６）または（２５×２５）個の８ビットオーバードライブ映像データ５２が保存され、各オーバードライブ映像データ５２はそれぞれの第一取り込み映像データＤ６’と第二取り込み映像データＤ６の組み合わせに対応する。比較結果値が１であって第一取り込み映像データＤ６’と第二取り込み映像データＤ６が相違する場合、第一取り込み映像データＤ６’と第二取り込み映像データＤ６は参照表装置４５に送信される。続いて参照表装置４５は第一取り込み映像データＤ６’と第二取り込み映像データＤ６によって、パラメーター表５０から対応する８ビットオーバードライブ映像データ５２を選んで第一映像データ値Ｄ８’としてマルチプレクサー４６に送信する。例えば、第一取り込み映像データＤ６’が２（即ち００００１０）、第二取り込み映像データＤ６が５（即ち０００１０１）である場合、参照表装置４５はパラメーター表５０から値が２５（即ち０００１１００１）の８ビットオーバードライブ映像データＤ８’を選んでマルチプレクサー４６に送信する。なお、比較回路４４による比較結果値はマルチプレクサー４６に送信されてマルチプレクサー４６の動作を制御する。マルチプレクサー４６に送信される比較結果値が０であれば、マルチプレクサー４６は現在の８ビット映像データＤ８を出力し、それに対して、マルチプレクサー４６に送信される比較結果値が１であれば、マルチプレクサー４６はオーバードライブ映像データＤ８’を出力する。マルチプレクサー４６の出力Ｄｏｕｔはデータライン駆動回路４７に送られ、データライン駆動回路４７はマルチプレクサー４６の出力Ｄｏｕｔ（Ｄ８またはＤ８’に等しい）によって対応するデータライン電圧を生じさせて対応するデータライン３４に印加してピクセル３０の表示特性を制御する。例えば、第一取り込み映像データＤ６’と第二取り込み映像データＤ６が２（即ち００００１０）であって、現在の８ビット映像データＤ８の値が１０（即ち００００１０１０）である場合、マルチプレクサー４６の出力値Ｄｏｕｔは１０（即ち００００１０１０）であって、データライン駆動回路４７はマルチプレクサー４６の出力値Ｄｏｕｔに対応する第一データライン電圧を生じさせる。第一取り込み映像データＤ６’が２（即ち００００１０）、第二取り込み映像データＤ６が６３（即ち１１１１１１）であれば、参照表装置４５から出力されるオーバードライブ映像データＤ８’は２５５（即ち１１１１１１１１）であって、マルチプレクサー４６の出力値Ｄｏｕｔも２５５であり、データライン駆動回路４７はマルチプレクサー４６の出力値Ｄｏｕｔに対応する第二データライン電圧を生じさせる。
【００１４】
更に図６を参照する。図６は駆動回路４０のその他の動作を表わす説明図である。ここで、ビットプロセッサー４２は８ビット映像データＤ８から相違するビット数を有する最上位ビット、例えば８ビット映像データＤ８から５ビットの最上位ビットと６ビットの最上位ビットを取り込んで第一取り込み映像データＤ５’と第二取り込み映像データＤ６にする。この場合、比較回路４４は第一取り込み映像データＤ５’と第二取り込み映像データＤ６を比較して、比較結果値を０または１に決める。比較回路４４は第一取り込み映像データＤ５’と第二取り込み映像データＤ６を比較する場合、まず０を第一取り込み映像データＤ５’の最下位ビットに補填してから、補填された第一取り込み映像データＤ５’を第二取り込み映像データＤ６と比較する。例えば、第一取り込み映像データＤ５’と第二取り込み映像データＤ６がそれぞれ７（即ち００１１１）と１０（００１０１０）である場合、比較回路４４は第一取り込み映像データＤ５’に０を補填して１４（００１１１０）と変換してから、１４の値を第二取り込み映像データＤ６の値である１０（００１０１０）と比較する。同じく、比較回路４４から出力される比較結果値が０であれば、ピクセル３０をオーバードライブする必要がない反面、比較結果値が１であれば、ピクセル３０をオーバードライブしなければならず、その他の動作は前述の同じである。なお、比較回路４４が第一取り込み映像データＤ５’と第二取り込み映像データＤ６を比較する場合、０を第一取り込み映像データＤ５’に補填するほか、第二取り込み映像データＤ６の最下位ビットを削除してから第一取り込み映像データＤ５’と第二取り込み映像データＤ６を比較するのも可能である。例えば、第一取り込み映像データＤ５’と第二取り込み映像データＤ６がそれぞれ７（即ち００１１１）と１０（００１０１０）である場合、比較回路４４は第二取り込み映像データＤ６の最下位ビットを削除して５（即ち００１０１）に変換してから、第一取り込み映像データＤ５’の値である７（即ち００１１１）と比較する。同じく、比較回路４４から出力される比較結果値が０であれば、ピクセル３０をオーバードライブする必要がない反面、比較結果値が１であれば、ピクセル３０をオーバードライブしなければならず、その他の動作は前述の同じである。
【００１５】
なお、この場合において、参照表装置４５のパラメーター表のデータ構造には相応する変更が必要である。図７を参照する。図７は図６の場合におけるパラメーター表７０を表わす説明図である。パラメーター表７０には（２５×２６）個の８ビットオーバードライブ映像データ７２が保存される。比較結果値が１であって第一取り込み映像データＤ５’と第二取り込み映像データＤ６が相違する場合、第一取り込み映像データＤ５’と第二取り込み映像データＤ６は参照表装置４５に送信され、参照表装置４５は第一取り込み映像データＤ５’と第二取り込み映像データＤ６によって、パラメーター表７０から対応する９ビットのオーバードライブ映像データ７２を選んで第一映像データ値Ｄ８’としてマルチプレクサー４６に送信する。
【００１６】
また、電力を節約するために、比較回路４４は参照表開閉信号を参照表装置４５に送信する。比較結果値が１であれば、参照表開閉信号はハイとなり参照表装置４５をオンにする反面、比較結果値が０であれば、参照表開閉信号はローになり参照表装置４５をオフにする。
【００１７】
この実施例において、ビットプロセッサー４２は８ビット映像データＤ８からＮビットとＰビットの最上位ビットを取り込んで第一取り込み映像データと第二取り込み映像データを形成する。（Ｎ、Ｐ）は（６、６）または（５、６）である。もっとも、（Ｎ、Ｐ）は（６、６）または（５、６）に限らず、（５、５）など他の可能性もある。図４を合わせて図８と図９を参照する。図８は（Ｎ、Ｐ）が（５、５）である場合の駆動回路４０を表わす説明図であり、図９は図８の場合におけるパラメーター表９０を表わす説明図である。（Ｎ、Ｐ）が（５、５）である場合、その操作方法は（Ｎ、Ｐ）が（６、６）である場合と近似しているが、両者の主な区別は、前者は８ビット映像データＤ８から５ビットの最高位ビットを取り込み、後者は８ビット映像データＤ８から６ビットの最高位ビットを取り込むことにある。（Ｎ、Ｐ）が（５、５）である場合、第一取り込み映像データＤ５’と第二取り込み映像データＤ５は５ビット映像データであり、パラメーター表９０には（２５×２５）個の８ビットオーバードライブ映像データ９２が保存される。参照表装置４５は第一取り込み映像データＤ５’と第二取り込み映像データＤ５によって、パラメーター表９０から対応する映像データ値９２を選んでデータライン駆動回路４７の後続動作を制御する。
【実施例２】
【００１８】
図１０を参照する。図１０はこの発明の実施例２による駆動回路１００を表わす説明図である。駆動回路１００は図３における液晶表示器３０を駆動するものである。駆動回路４０と同じく、駆動回路１００は、映像信号端１０１と、ビットプロセッサー１０２と、映像メモリー１０３と、比較回路１０４と、参照表装置１０５と、マルチプレクサー１０６と、データライン駆動回路１０７と、メモリー１０８と、パラメーター表セレクター１０９と、温度センサー１１１とを含み、これらデバイスの機能は駆動回路４４における対応するデバイスと同じである。この実施例において、映像メモリー１０３も１６ビットのメモリーであり、映像信号端１０１は８ビットのＲＧＢ三組の映像データをビットプロセッサー１０２に送信する。
【００１９】
以下はＲＧＢ三組の一組を例にして説明する。映像信号端１０１は８ビットの映像データＤ８をビットプロセッサー１０２に送信する。ビットプロセッサー１０２は８ビットの映像データＤ８を処理して６ビットの第二取り込み映像データＤ６及び２ビットの第三取り込み映像データＤ２を出力する。第二取り込み映像データＤ６は１フレーム周期遅延されて６ビットの第一取り込み映像データＤ６’に変換される。第一取り込み映像データＤ６’と第二取り込み映像データＤ６の発生と伝送は実施例１と同じであって８ビット映像データＤ８から６ビットの最上位ビットを取り込んだものであり、第三取り込み映像データＤ２はビットプロセッサー１０２が８ビットの映像データＤ８から２ビットの最下位ビットを取り込んだものである。ビットプロセッサー１０２は第三取り込み映像データＤ２をマルチプレクサー１０６に送信する。
【００２０】
比較回路１０４は第一取り込み映像データＤ６’と第二取り込み映像データＤ６を比較して比較結果値を０または１に決める。この実施例において、比較の過程及び比較結果値の定義は実施例１と同じであり、ここで説明を省略する。比較回路１０４は第一取り込み映像データＤ６’と第二取り込み映像データＤ６を参照表装置１０５に送信して比較結果値をマルチプレクサー１０６に送信する。実施例１と同じく、第一取り込み映像データＤ６’と第二取り込み映像データＤ６が一致または相違する場合によって、参照表装置１０５はパラメーター表５０、パラメーター表６０またはパラメーター表９０によってオーバードライブ映像データを照合する。参照表装置１０５は照合時、第一取り込み映像データＤ６’と第二取り込み映像データＤ６によって、パラメーター表５０、パラメーター表６０またはパラメーター表９０から８ビットのオーバードライブ映像データを選んで、またその８ビットのオーバードライブ映像データから２ビットの最下位ビットＤ２’と６ビットの最上位ビットＤ６−ｏｕｔを取り込んで出力する。例えば、第一取り込み映像データＤ６’が２（即ち００００１０）、第二取り込み映像データＤ６が３（即ち００００１１）であれば、参照表装置１０５はパラメーター表５０から値が２５（即ち０００１１００１）の８ビットオーバードライブ映像データを選んでから、８ビットオーバードライブ映像データの２ビットの最下位ビット（即ち０１）及び６ビットの最上位ビット（０００１１０）をそれぞれ取り込んで、マルチプレクサー１０６とデータライン駆動回路１０７に送信される出力Ｄ２’とＤ６−ｏｕｔにする。同じく、比較回路１０４による比較結果値はマルチプレクサー１０６に送信されてマルチプレクサー１０６の動作を制御する。マルチプレクサー１０６に送信される比較結果値が０であれば、マルチプレクサー１０６は現在の８ビット映像データＤ８における２ビットの最下位ビットＤ２を出力し、それに対して、マルチプレクサー１０６に送信される比較結果値が１であれば、マルチプレクサー１０６は参照表装置１０５の出力Ｄ２’を出力する。マルチプレクサー１０６の出力Ｄ２−ｏｕｔはデータライン駆動回路１０７に送られ、データライン駆動回路１０７はマルチプレクサー１０６の出力Ｄ２−ｏｕｔ（Ｄ２またはＤ２’に等しい）と参照表装置１０５の出力Ｄ６−ｏｕｔによって対応するデータライン電圧を生じさせて対応するデータライン３４に印加してピクセル３０の表示特性を制御する。例えば、第一取り込み映像データＤ６’と第二取り込み映像データＤ６が２（即ち００００１０）であって、現在の８ビット映像データＤ８の値が１１（即ち００００１０１１）である場合、参照表装置１０５はパラメーター表５０によって値が１６（即ち００００１０００）のオーバードライブ映像データ５２を選び、両出力Ｄ２’、Ｄ６−ｏｕｔはそれぞれ２（即ち００００１０）と０（即ち００）になり、マルチプレクサー１０６の出力値Ｄ２−ｏｕｔは第三取り込み映像データＤ２（即ち映像データＤ８における２ビットの最下位ビット、二進法表示によると１１となる）に等しく、データライン駆動回路１０７は現在の８ビット映像データＤ８における２ビットの最下位ビット及び値が１６（即ち００００１０００）であるオーバードライブ映像データ５２における６ビットの最上位ビットＤ６−ｏｕｔによって対応する第一データライン電圧を生じさせる。第一取り込み映像データＤ６’が２（即ち００００１０）、第二取り込み映像データＤ６が６３（即ち１１１１１１）であれば、参照表装置１０５はパラメーター表５０によって値が２５５（即ち１１１１１１１１）であるオーバードライブ映像データ５２を選んで、両出力Ｄ２’、Ｄ６−ｏｕｔはそれぞれ６３（即ち１１１１１１）と３（即ち１１）になり、データライン駆動回路１０７は値が２５５であるオーバードライブ映像データ５２によって対応する第二データライン電圧を生じさせる。
【００２１】
なお、液晶パネル３１の液晶分子がデータ電圧によって偏向する場合、その反応時間は液晶パネル３１の温度によって異なる。液晶表示器３０にあらゆる温度においても最適な表示効果をもたすため、この発明の実施例１及び実施例２には、駆動回路４０と駆動回路１００は液晶パネル３１の温度によって適当なパラメーター表を選択する。図４と図１０によれば、メモリー４８とメモリー１０８はそれぞれ複数のパラメーター表５４、１１４を含み、各パラメーター表５４、１１４は種々の液晶パネル温度にそれぞれ対応する。駆動回路４０、１００の動作時、温度センサー５１、１１１は液晶パネル３１の温度を感知して温度補償信号Ｓｔを生じさせてパラメーター表セレクター４９、１０９に送信する。よってパラメーター表セレクター４９、１０９は温度補償信号Ｓｔによってメモリー４８、１０８に保存される複数のパラメーター表５４、１１４から一つを選んで参照表装置４５、１０５に送信する。参照表装置４５、１０５は選ばれたパラメーター表によって映像データ値Ｄ８’、Ｄ２’を出力する。
【００２２】
この発明の実施例１と実施例２は、回路デバイス、ビットプロセッサーによる映像データを取り込む方法、映像データを遅延させる方法、映像データを比較する方法及びパラメーター表などの面において一致している。両者の相違点は、実施例１はパラメーター表の８ビット数値を直接にマルチプレクサーに出力し、実施例２はパラメーター表の８ビット数値を２ビットの最下位ビットと６ビットの最上位ビットに分けてそれぞれマルチプレクサーとデータライン駆動回路に出力することにある。なお、注意すべき点は、この発明による駆動回路が取り込む最下位ビットと最上位ビットは前述の６ビット、５ビット、２ビットに限らず、７ビット、１ビットなども可能である。
【００２３】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２４】
この発明による駆動回路及び駆動方法は映像データから最上位のビットを取り出して処理するので、メモリー容量及びコストを増加せずに映像処理及び伝送を可能にする。
【図面の簡単な説明】
【００２５】
【図１】従来の液晶表示器におけるピクセル電圧と光線透過率Ｖ１のタイミング図である。
【図２】オーバードライブ駆動法を利用する従来の液晶表示器におけるピクセル電圧と光線透過率Ｖ２のタイミング図である。
【図３】液晶表示器の回路図である。
【図４】この発明の実施例１による駆動回路を表わす説明図である。
【図５】図４における参照表装置のパラメーター表を表わす説明図である。
【図６】駆動回路のその他の動作を表わす説明図である。
【図７】図６の場合におけるパラメーター表を表わす説明図である。
【図８】（Ｎ、Ｐ）が（５、５）である場合の駆動回路を表わす説明図である。
【図９】図８の場合におけるパラメーター表を表わす説明図である。
【図１０】この発明の実施例２による駆動回路を表わす説明図である。
【符号の説明】
【００２６】
３０    液晶表示器
３１    液晶パネル
３２    スキャンライン
３４    データライン
３６    ピクセル
３８    スイッチ装置
３９    ピクセル電極
４０、１００   駆動回路
４１、１０１   映像信号端
４２、１０２   ビットプロセッサー
４３、１０３   映像メモリー
４４、１０４   比較回路
４５、１０５   参照表装置
４６、１０６   マルチプレクサー
４７、１０７   データライン駆動回路
４８、１０８   メモリー
４９、１０９   パラメーター表セレクター
５０、７０、９０        パラメーター表
５１、１１１   温度センサー
５２、７２、９２        オーバードライブ映像データ
５４、１１４   パラメーター表
【図１】
2005114955.tif 000003
【図２】
2005114955.tif 000004
【図３】
2005114955.tif 000005
【図４】
2005114955.tif 000006
【図５】
2005114955.tif 000007
【図６】
2005114955.tif 000008
【図７】
2005114955.tif 000009
【図８】
2005114955.tif 000010
【図９】
2005114955.tif 000011
【図１０】
2005114955.tif 000012